(57)【特許請求の範囲】
【請求項１】
壁パネルおよび床パネルを組み合わせて形成されるプレハブ建物を設計する際に用いられるプレハブ建物設計用ＣＡＤシステムであって、
入力されたプラン情報を基に間取りなどのプラン図を作成するプラン図作成手段と、
このプラン図作成手段が作成したプラン図を基に前記パネルの収まりなど構造躯体に関する情報を表す施工図を作成する施工図作成手段と、
前記プラン図作成手段が作成したプラン図の中から構造躯体に付設される付設物に関するデータを抽出し、それを前記施工図作成手段が作成した施工図に表示する施工図編集手段と、
を備えたことを特徴とするプレハブ建物設計用ＣＡＤシステム。
【請求項２】
請求項１に記載のプレハブ建物設計用ＣＡＤシステムにおいて、
前記施工図作成手段は、前記プラン図作成手段が作成したプラン図中のプラン情報のうち、構造躯体に関する情報のみを構造躯体データに変換し、この構造躯体データを施工図に表示することを特徴とするプレハブ建物設計用ＣＡＤシステム。
【請求項３】
請求項１または請求項２に記載のプレハブ建物設計用ＣＡＤシステムにおいて、
前記プラン図で表示されるプラン情報に対応する構造躯体データを記憶した参照テーブルを備え、
前記施工図作成手段および施工図編集手段は、プラン図作成手段が作成したプラン図中のプラン情報のうち、構造躯体に関する情報に対応する構造躯体データを前記参照テーブルから読み出して、その構造躯体データに関する情報を施工図に表示することを特徴とするプレハブ建物設計用ＣＡＤシステム。
【請求項４】
請求項１〜請求項３のいずれかに記載のプレハブ建物設計用ＣＡＤシステムにおいて、
前記施工図編集手段は、前記施工図作成手段が作成した平面施工図および立面施工図中に付設物をそれぞれ表示することを特徴とするプレハブ建物設計用ＣＡＤシステム。
【請求項５】
請求項１〜請求項４のいずれかに記載のプレハブ建物設計用ＣＡＤシステムにおいて、
前記プラン図作成手段と、前記施工図作成手段および施工図編集手段とは、それぞれ別々のＣＡＤによって構成されていることを特徴とするプレハブ建物設計用ＣＡＤシステム。
【発明の詳細な説明】
【０００１】
【発明の属する技術分野】
本発明は、プレハブ建物を設計するためのプレハブ建物設計用ＣＡＤシステムに関する。詳しくは、壁パネルおよび床パネルなどを組み合わせて建てられるプレハブ建物の施工図を作成する際に、参照する図面の枚数を低減できるようにしたプレハブ建物設計用ＣＡＤシステムに関する。
【０００２】
【背景技術】
工場で製造した壁パネルや床パネルを、建築現場で組み合わせて建築されるプレハブ建物が知られている。
このようなプレハブ建物によれば、従来、建築現場で行っていた作業の多くを工場で行うことができるから、建築現場での作業を著しく軽減でき、高品質の建物を短期間で建築できるという利点がある。
【０００３】
このプレハブ建物の利点を確保するために、顧客に提供する商品（プレハブ建物）を既製品化し、これにより、設計および製造すべき商品の種類を限定し、設計作業および製造作業の高効率化を図っていたが、これでは、顧客の多様な要望に十分対応することが困難となる。
そこで、一般的な注文建築と同様に、顧客の要求に応じてプレハブ建物を１つずつ設計するにあたり、設計作業の効率が十分確保されるように、設計作業を支援するＣＡＤシステムが利用されている。
【０００４】
従来のＣＡＤシステムでは、まず、顧客からの要望を基に、建物の間取りなどを示すプラン図（平面図や立面図など）を作成し、このプラン図を基に建物を構成する壁パネルおよび床パネルなどの構造躯体に関する情報を抽出したのち、これらの構造躯体のみの情報を表す施工図（構造躯体図）を作成していた。
【０００５】
【発明が解決しようとする課題】
ところが、従来のＣＡＤシステムで作成される施工図には、構造躯体に付設される付設物、たとえば、バルコニ、階段、庇などが表示されなかったため、プレハブ建物の施工図の作成にあたっては、先に作成したプラン図を参照しながら作業しなければならなかった。つまり、プラン図を見ながら、構造躯体とバルコニなどの付設物との収まりなどを確認しなければならなかった。
そのため、参照する図面枚数が増え、図面の取扱などが煩雑になるうえ、作図上の間違えも生じやすいという欠点があった。
【０００６】
本発明の目的は、このような従来の問題を解消し、プレハブ建物の施工図の作成にあたり、参照する図面枚数を低減でき、図面の取扱を容易にできるとともに、作図上の間違えも低減できるプレハブ建物設計用ＣＡＤシステムを提供することにある。
【０００７】
【課題を解決するための手段】
本発明のプレハブ建物設計用ＣＡＤシステムは、図を参照して説明すると、壁パネルおよび床パネルを組み合わせて形成されるプレハブ建物を設計する際に用いられるプレハブ建物設計用ＣＡＤシステムであって、入力されたプラン情報を基に間取りなどのプラン図Ｐを作成するプラン図作成手段１と、このプラン図作成手段１が作成したプラン図Ｐを基に前記パネルの収まりなど構造躯体に関する情報を表す施工図Ｓ１，Ｓ２を作成する施工図作成手段１３１〜１３４と、前記プラン図作成手段１が作成したプラン図Ｐの中から構造躯体に付設される付設物Ｂに関するデータを抽出し、それを前記施工図作成手段１３１〜１３４が作成した施工図Ｓ１，Ｓ２に表示する施工図編集手段１３６と、を備えたことを特徴とする。
ここで、付設物としては、構造躯体に付設されるものであれば何でもよいが、たとえば、バルコニ、階段、庇などである。
【０００８】
このような構成によれば、まず、プラン図作成手段１によって、プラン情報を基に間取りなどのプラン図Ｐが作成されたのち、施工図作成手段１３１〜１３４において、そのプラン図Ｐを基にパネルの収まりなど構造躯体に関する情報を表す施工図Ｓ１，Ｓ２が作成される。このとき、施工図編集手段１３６によって、プラン図作成手段１が作成したプラン図Ｐの中から構造躯体に付設される付設物Ｂに関するデータが抽出され、それが施工図Ｓ１，Ｓ２に表示される。
従って、施工図Ｓ１，Ｓ２には、構造躯体に関する情報とともに、付設物Ｂも一緒に表示されるから、プレハブ建物の施工図の作成にあたり、施工図Ｓ１，Ｓ２のみを見るだけでよい。つまり、従来のようにプラン図を参照しながら付設物Ｂとの配置関係などを確認しなくてもよいから、参照する図面枚数を低減できる。よって、図面の取扱を容易にできるとともに、作図上の間違えも低減できる。
【０００９】
以上の構成において、前記施工図作成手段１３１〜１３４は、前記プラン図作成手段１が作成したプラン図Ｐ中のプラン情報のうち、構造躯体に関する情報のみを構造躯体データに変換し、この構造躯体データを施工図Ｓ１，Ｓ２に表示することが望ましい。
その際、プラン図Ｐで表示されるプラン情報に対応する構造躯体データを記憶した参照テーブル１２１を備えておけば、前記施工図作成手段１３１〜１３４および施工図編集手段１３６は、プラン図作成手段１が作成したプラン図Ｐ中のプラン情報のうち、構造躯体に関する情報に対応する構造躯体データを前記参照テーブル１２１から読み出して、その構造躯体データに関する情報を施工図Ｓ１，Ｓ２に表示することができる。
【００１０】
また、前記施工図編集手段１３６は、前記施工図作成手段１３１〜１３４が作成した平面施工図Ｓ１および立面施工図図Ｓ２中に付設物をそれぞれ表示することが望ましい。このようにすれば、プレハブ建物に対する付設物Ｂの平面上の位置のほかに、上下方向位置も視覚的に確認できるから、作図上の間違えなどをより低減できる。
また、前記プラン図作成手段１と、前記施工図作成手段１３１〜１３４および施工図編集手段１３６とは、それぞれ別々のＣＡＤによって構成されていることが望ましい。このようにすれば、プラン図作成作業と施工図作成作業とを平行して同時に行うことができるから、効率的に図面の作成を行える。
【００１１】
【発明の実施の形態】
以下、本発明の一実施形態を図面に基づいて説明する。
図１には、本実施形態に係るＣＡＤシステムが示されている。同ＣＡＤシステムは、入力されたプラン情報を基に建物の間取りなどのプラン図を作成するプラン図作成手段としてのプラン図作成用ＣＡＤ１と、このプラン図作成用ＣＡＤ１が作成したプラン図を基にパネル（壁パネルや床パネルなど）の収まりなど構造躯体に関する情報を表す施工図（構造躯体に関する情報を表した図）を作成する施工図作成用ＣＡＤ１０１とを備える。
【００１２】
前記プラン図作成用ＣＡＤ１は、顧客の要望に応じてプレハブ建物を設計する際に間取りなどのプラン図を作成するもので、図２に示すように、コンピュータ本体１０と、設計している階の平面図などを表示するＣＲＴ表示装置２と、前記コンピュータ本体１０などの操作を行うための入力装置３と、設計した平面図などを製図するＸ−Ｙプロッタ装置４とを備えている。
【００１３】
前記コンピュータ本体１０は、記憶装置であるハードディスク装置２０と、各種の処理を行う演算装置であるＣＰＵ３０とを含んで構成されている。
ハードディスク装置２０には、プレハブ建物を構築する部品に関する部品情報が蓄積された部品情報蓄積手段２１が設けられている。
ＣＰＵ３０は、各種のソフトウエアがインストールされ、これらのソフトウエアを並列処理するマルチタスク機能を備える。ＣＰＵ３０には、ソフトウエアにより、ハードディスク装置２０の部品情報蓄積手段２１に蓄積されたデータを用いて、プレハブ建物の平面図や立面図をそれぞれ設計する平面図設計手段３１および立面図設計手段３２のほか、部品情報蓄積手段２１に蓄積されたデータの入出力を管理するとともに、前記施工図作成用ＣＡＤ１０１とデータ交換を行う情報管理手段３６が設けられている。
【００１４】
前記施工図作成用ＣＡＤ１０１は、前記プラン図作成用ＣＡＤ１が作成したプラン図を基にパネル（壁パネルや床パネルなど）の収まりなど構造躯体に関する情報を表す施工図を作成するもので、図３に示すように、コンピュータ本体１１０と、ＣＲＴ表示装置１０２と、入力装置１０３と、Ｘ−Ｙプロッタ装置１０４と、プリンタ１０５とを備えている。
【００１５】
前記コンピュータ本体１１０は、記憶装置であるハードディスク装置１２０と、各種の処理を行う演算装置であるＣＰＵ１３０とを含んで構成されている。
ハードディスク装置１２０には、前記プラン図作成用ＣＡＤ１で表示されるプラン情報に対応する構造躯体データを記憶した参照テーブル１２１と、設計されたプレハブ建物を構築する部品の価格や工賃の価格などに関する価格データが蓄積された積算情報蓄積手段１２２とが設けられている。
ＣＰＵ１３０には、前記プラン図中のプラン情報のうち構造躯体に関する情報に対応する構造躯体データを参照テーブル１２１の中から読み出して、プレハブ建物の構造躯体に関する基礎伏図、床エレメント図、壁図（パネル割平面図および壁エレメント図）、屋根エレメント図をそれぞれ設計する基礎伏図設計手段１３１、床エレメント図設計手段１３２、壁図設計手段１３３および屋根エレメント図設計手段１３４などが設けられている。さらに、積算情報蓄積手段１２２に蓄積された価格データを用いて設計したプレハブ建物の価格を積算する積算手段１３５、および、参照テーブル１２１に蓄積されたデータの入出力を管理するとともに、前記プラン図作成用ＣＡＤ１とデータ交換を行う情報管理手段１３６が設けられている。
【００１６】
次に、本実施形態の作用を説明する。
まず、プラン図作成用ＣＡＤ１において、プラン図を作成する。これには、入力装置３から顧客の要望に基づくプラン情報を入力する。まず、間取りを決めたのち、壁情報入力操作、各種の部品入力操作などを行う。この際、部品入力操作に際しては、部品コード、部品種別コード、配置位置情報などを入力する。
【００１７】
すると、平面図設計手段３１は、入力されたプラン情報を基にプラン図（平面図）を作成し出力する。たとえば、図４に示すような、プラン図（平面図）Ｐを作成し出力する。なお、図４において、Ｂは構造躯体（壁パネルなど）に取り付けられる付設物としてのバルコニを示している。また、立面図設計手段３２も、同様にして、入力されたプラン情報を基にプラン図（立面図）を作成し出力する。
これと同時あるいはその後に、これらのプラン図Ｐに関するデータは、施工図作成用ＣＡＤ１０１へ送信される。
【００１８】
施工図作成用ＣＡＤ１０１では、プラン図作成用ＣＡＤ１が作成したプラン図を基にパネル（壁パネルや床パネルなど）の収まりなど構造躯体に関する情報を表す施工図を作成する。
たとえば、壁図設計手段１３３は、プラン図作成用ＣＡＤ１が作成したプラン図の中から構造躯体に関する情報（この場合、壁パネルに関係する情報）のみを抽出し、その抽出した情報を参照テーブル１２１を参照しながら構造躯体データに変換し、壁図、この場合には壁パネルの割付を示すパネル割平面図と、立面的に壁パネルの割付を示した壁エレメント図とを表示する。
【００１９】
同様に、基礎伏図設計手段１３１、床エレメント図設計手段１３２および屋根エレメント図設計手段１３４も、プラン図作成用ＣＡＤ１が作成したプラン図の中から構造躯体に関する情報のみを抽出し、その抽出した情報を参照テーブル１２１を参照しながら構造躯体データに変換し、基礎伏図、床エレメント図、屋根エレメント図として表示する。
【００２０】
このとき、情報管理手段１３６は、プラン図の中から構造躯体に付設される付設物に関するデータを抽出し、それを追加表示する。
たとえば、図５に示すように、プラン図作成用ＣＡＤ１が作成したプラン図中のプラン情報に「buhin，EB1-00001，3000，genius-eb00001，955.00，-65.00，90.00……」が含まれていたとすると、施工図作成用ＣＡＤ１０１において、「3000，genius-eb00001，955.00，-65.00，90.00」がバッチ処理にて構造躯体データに変換され、表示される。つまり、参照テーブル１２１を参照して、「3000，genius-eb00001，955.00，-65.00，90.00」が「92230000,genius-eb00001，955.00，-65.00，90.00」に変換され、表示される。
【００２１】
その結果、プラン図Ｐを基にパネルの収まりなど構造躯体に関する情報を表す施工図に、構造躯体に付設される付設物に関するデータが一緒に表示される。
たとえば、図６に示すように、平面的に壁パネルの割付を示したパネル割平面図Ｓ１に付設物としてのバルコニＢが一緒に表示される。
また、図７に示すように、立面的に壁パネルの割付を示した壁エレメント図Ｓ２にバルコニＢが一緒に表示される。
【００２２】
従って、本実施形態によれば、構造躯体情報を表した施工図Ｓ１、Ｓ２にバルコニＢなどの付設物が一緒に表示されるから、プレハブ建物の施工図の作成にあたり、施工図Ｓ１，Ｓ２のみを見ながら作業できる。つまり、従来のようにプラン図を参照しなくてもよいから、参照する図面枚数を低減できる。よって、図面の取扱を容易にできるとともに、作図上の間違えも低減できる。
【００２３】
また、付設物Ｂを施工図Ｓ１，Ｓ２中に表示するにあたって、平面施工図となるパネル割平面図Ｓ１および立面施工図となる壁エレメント図Ｓ２中にそれぞれ付設物（バルコニＢ）を表示するようにしたので、建物に対する付設物（バルコニＢ）の平面位置のほかに、上下方向位置も視覚的に確認できるから、作図上の間違えなどをより低減できる。
【００２４】
また、プラン図作成用ＣＡＤ１で表示されるプラン情報に対応する構造躯体データを記憶した参照テーブル１２１を備えたので、前記施工図作成用ＣＡＤ１０１は、プラン図作成用ＣＡＤ１が作成したプラン図Ｐ中のプラン情報に対応する構造躯体データを前記参照テーブル１２１から読み出して、その構造躯体データに関する情報を施工図Ｓ１，Ｓ２に示すことができる。
【００２５】
また、プラン図作成用ＣＡＤ１においてプラン図を作成したのち、施工図作成用ＣＡＤ１０１において施工図Ｓ１，Ｓ２を作成するようにしたので、つまり、プラン図Ｐおよび施工図Ｓ１，Ｓ２を別々のＣＡＤで作成するようにしたので、プラン図作成作業と施工図作成作業とを平行して同時に行うことができるから、効率的に図面の作成を行える。
【００２６】
以上、本発明について好適な実施形態を挙げて説明したが、本発明は、この実施形態に限られるものでなく、本発明の要旨を逸脱しない範囲において種々の改良並びに設計の変更が可能である。
たとえば、前記実施形態では、プラン図作成用ＣＡＤ１においてプラン図を作成したのち、施工図作成用ＣＡＤ１０１において施工図を作成するようにしたが、つまり、プラン図Ｐおよび施工図Ｓ１，Ｓ２を別々のＣＡＤで作成するようにしたが、これらのプラン図Ｐおよびと施工図Ｓ１，Ｓ２を１台のＣＡＤで作成するようにしてもよい。
【００２７】
また、積算手段１３５は、基礎伏図設計手段１３１、床エレメント図設計手段１３２、壁図設計手段１３３および屋根エレメント図設計手段１３４とは別のコンピュータに設けてもよく、オンラインまたはオフラインでデータの受け渡しを行うことにより、前記実施形態と同様の動作が確保できる。
【００２８】
また、本発明においては、ハードディスク装置２０、１２０に記録される各種データは、ＦＤ、ＣＤ−ＲＯＭ、ＤＶＤなどのコンピュータで読み取り可能な記録媒体に記録してＣＡＤシステム１を実現するコンピュータに提供したり、パソコン通信、インターネットなどのネットワークを介して各コンピュータに提供してもよい。
【００２９】
【発明の効果】
本発明のプレハブ建物設計用ＣＡＤシステムによれば、プレハブ建物の施工図の作成にあたり、参照する図面枚数を低減でき、図面の取扱を容易にできるとともに、作図上の間違えを低減できるという効果が期待できる。
【図面の簡単な説明】
【図１】本発明の一実施形態に係るＣＡＤシステムを示すブロック図である。
【図２】同上実施形態のプラン図作成用ＣＡＤを示すブロック図である。
【図３】同上実施形態の施工図作成用ＣＡＤを示すブロック図である。
【図４】同上実施形態のプラン図作成用ＣＡＤで作成したプラン図（平面図）を示す図である。
【図５】同上実施形態のプラン図作成用ＣＡＤで得られたデータを構造躯体データに変換する工程を示す図である。
【図６】同上実施形態の施工図作成用ＣＡＤで作成した施工図（パネル割平面図）を示す図である。
【図７】同上実施形態の施工図作成用ＣＡＤで作成した施工図（壁エレメント図）を示す図である。
【符号の説明】
１    プラン図作成用ＣＡＤ
１０  コンピュータ本体
２１  部品情報蓄積手段
３１  平面図設計手段
３２  立面図設計手段
１０１  施工図作成用ＣＡＤ
１１０  コンピュータ本体
１２１  参照テーブル
１３１  基礎伏図設計手段（施工図作成手段）
１３２  床エレメント図設計手段（施工図作成手段）
１３３  壁図設計手段（施工図作成手段）
１３４  屋根エレメント図設計手段（施工図作成手段）
１３６  情報管理手段（施工図編集手段）
【図１】
0004007697.tif 000002
【図２】
0004007697.tif 000003
【図３】
0004007697.tif 000004
【図４】
0004007697.tif 000005
【図５】
0004007697.tif 000006
【図６】
0004007697.tif 000007
【図７】
0004007697.tif 000008